(57)【特許請求の範囲】
【請求項１】
光ディスクにデジタルコンテンツを記録する記録装置であって、
コンテンツ素材に対して符号化を行い、複数のビデオオブジェクトを得る符号化手段と、
通常公開のためのコンテンツ保護方式、又は、早期公開のためのコンテンツ保護方式の何れかに従い、ビデオオブジェクトを暗号化する暗号化手段と、
複数の暗号化ビデオオブジェクトと、当該暗号化ビデオオブジェクトの再生順序を示す情報とを含むビデオタイトルセットを作成する作成手段と、
コンテンツを通常公開する場合、光ディスクに第１ディレクトリのみを生成し、コンテンツを早期公開する場合、光ディスクに第１ディレクトリ及び第２ディレクトリを生成して、生成されたディレクトリに、ビデオタイトルセットを記録する記録手段とを備え、
第１ディレクトリは、民生用再生装置によってビデオタイトルセットの格納場所とは認識されるディレクトリ名を有するディレクトリであり、ビデオタイトルセットと、そのインデックスとから構成され、
第２ディレクトリは、民生用再生装置によってビデオタイトルセットの格納場所とは認識され得ないが、業務用再生装置によって早期公開のためのビデオタイトルセットの格納場所と認識され得るディレクトリ名を有するディレクトリであり、ビデオタイトルセットと、そのインデックスとから構成され、
前記記録手段は、
早期公開のためにコンテンツを記録する場合、早期公開のための保護方式により保護されたビデオオブジェクトを含むビデオタイトルセットと、当該ビデオタイトルセットに対応付けられたメニューデータを含むインデックスとを第２ディレクトリに記録すると共に、
民生用再生装置が上記ビデオタイトルセットを再生できない旨のメッセージを含むインデックスを第１ディレクトリに記録し、
通常公開のためにコンテンツを記録する場合、通常公開のための保護方式により保護されたビデオオブジェクトを含むビデオタイトルセットと、当該ビデオタイトルセットに対応付けられたメニューデータを含むインデックスとを第１ディレクトリに記録する
ことを特徴とする記録装置。
【請求項２】
前記業務用再生装置は、それぞれ固有のデバイス鍵を保持しており、
前記暗号化手段は、さらに、
前記ビデオオブジェクトをコンテンツ鍵を用いて暗号化するビデオオブジェクト暗号化手段と、
前記コンテンツ鍵を前記デバイス鍵を用いて暗号化するコンテンツ鍵暗号化手段とを備え、
前記記録手段は、さらに、前記コンテンツ鍵暗号化手段によって暗号化されたコンテンツ鍵を、前記第２ディレクトリに記録する
ことを特徴とする請求項１に記載の記録装置。
【請求項３】
光ディスクにデジタルコンテンツを記録する記録装置の制御をコンピュータ上で実行する記録方法であって、
コンテンツ素材に対して符号化を行い、複数のビデオオブジェクトを得る符号化ステップと、
通常公開のためのコンテンツ保護方式、又は、早期公開のためのコンテンツ保護方式の何れかに従い、ビデオオブジェクトを暗号化する暗号化ステップと、
複数の暗号化ビデオオブジェクトと、当該暗号化ビデオオブジェクトの再生順序を示す情報とを含むビデオタイトルセットを作成する作成ステップと、
コンテンツを通常公開する場合、光ディスクに第１ディレクトリのみを生成し、コンテンツを早期公開する場合、光ディスクに第１ディレクトリ及び第２ディレクトリを生成して、生成されたディレクトリに、ビデオタイトルセットを記録する記録ステップとを含み、
第１ディレクトリは、民生用再生装置によってビデオタイトルセットの格納場所とは認識されるディレクトリ名を有するディレクトリであり、ビデオタイトルセットと、そのインデックスとから構成され、
第２ディレクトリは、民生用再生装置によってビデオタイトルセットの格納場所とは認識され得ないが、業務用再生装置によって早期公開のためのビデオタイトルセットの格納場所と認識され得るディレクトリ名を有するディレクトリであり、ビデオタイトルセットと、そのインデックスとから構成され、
前記記録ステップは、
早期公開のためにコンテンツを記録する場合、早期公開のための保護方式により保護されたビデオオブジェクトを含むビデオタイトルセットを第２ディレクトリに記録すると共に、
民生用再生装置が上記ビデオタイトルセットを再生できない旨のメッセージを含むインデックスを、ビデオタイトルセットに対応付けて第１ディレクトリに記録し、
通常公開のためにコンテンツを記録する場合、通常公開のための保護方式により保護されたビデオオブジェクトを含むビデオタイトルセットを第１ディレクトリに記録する
ことを特徴とする記録方法。
【請求項４】
光ディスクにデジタルコンテンツを記録する記録装置の制御をコンピュータに実行させる記録プログラムであって、
コンテンツ素材に対して符号化を行い、複数のビデオオブジェクトを得る符号化ステップと、
通常公開のためのコンテンツ保護方式、又は、早期公開のためのコンテンツ保護方式の何れかに従い、ビデオオブジェクトを暗号化する暗号化ステップと、
複数の暗号化ビデオオブジェクトと、当該暗号化ビデオオブジェクトの再生順序を示す情報とを含むビデオタイトルセットを作成する作成ステップと、
コンテンツを通常公開する場合、光ディスクに第１ディレクトリのみを生成し、コンテンツを早期公開する場合、光ディスクに第１ディレクトリ及び第２ディレクトリを生成して、生成されたディレクトリに、ビデオタイトルセットを記録する記録ステップとをコンピュータに実行させ、
第１ディレクトリは、民生用再生装置によってビデオタイトルセットの格納場所とは認識されるディレクトリ名を有するディレクトリであり、ビデオタイトルセットと、そのインデックスとから構成され、
第２ディレクトリは、民生用再生装置によってビデオタイトルセットの格納場所とは認識され得ないが、業務用再生装置によって早期公開のためのビデオタイトルセットの格納場所と認識され得るディレクトリ名を有するディレクトリであり、ビデオタイトルセットと、そのインデックスとから構成され、
前記記録ステップは、
早期公開のためにコンテンツを記録する場合、早期公開のための保護方式により保護されたビデオオブジェクトを含むビデオタイトルセットを第２ディレクトリに記録すると共に、
民生用再生装置が上記ビデオタイトルセットを再生できない旨のメッセージを含むインデックスを、ビデオタイトルセットに対応付けて第１ディレクトリに記録し、
通常公開のためにコンテンツを記録する場合、通常公開のための保護方式により保護されたビデオオブジェクトを含むビデオタイトルセットを第１ディレクトリに記録する
ことを特徴とする記録プログラム。
【発明の詳細な説明】
【０００１】
【発明の属する技術分野】
本発明は、著作権保護がなされたコンテンツを光ディスクに記録する記録装置に関し、特に民生用、業務用のそれぞれにおいて異なるフォーマットとする場合の改良に関する。
【０００２】
【従来の技術】
今や光ディスクの代表格になったDVDには、一般需要者が入手できる民生用のものと、特定業者のみが入手できる業務用のものの2つがあるといわれる。後者のDVDは、例えば興行上映されている映画コンテンツを記録したものであり、一般家庭内での再生を目的とせず、公共の場での再生を目的としている。業務用のDVDの登場により、今後航空機の機内上映のための映画コンテンツ配給は、フィルム、テープによるものから、DVDによるものへと移行してゆくと予想される。
【０００３】
DVDには現在上映中の映画コンテンツが記録されるので、航空機の機内業務用DVDが万が一盗難されたり紛失したら、著作権者は多大な不利益を被る。それは盗難・紛失により機内業務用DVDが第３者の手に渡れば、将来興行上映を予定している地域で、DVDに記録された映画コンテンツが著作権者に無断で上映されてしまい、この場合著作権者は予定していた興行収益を得ることができないという理由による。そればかりか、航空業者側もその盗難・紛失により著作権者に与えた損害について賠償責任を負うことになり、著作権者−航空業者の関係を悪化させかねない。そこで著作権者は機内業務用DVDの記録にあたって、映画コンテンツに対して民生用のDVDに施されてる暗号化と異なる暗号化を施し、機内業務用DVDに記録された映画コンテンツが業務用DVDプレーヤによってのみ再生されるようにしている。民生用のDVDプレーヤではこの機内業務用DVDに記録された映画コンテンツを再生することができないので、紛失・盗難があったとしても、著作権者の意に反して機内業務用DVDに記録された映画コンテンツが上映されることはない。
【０００４】
【発明が解決しようとする課題】
しかしながら、著作権保護のためになされた上述したような配慮が、航空機内で思わぬトラブルを招く事がある。つまり航空機の内部では、機内業務用DVD以外にも民生用DVDが保管されているとも考えられ、航空機の機内業務用DVD、民生用DVDが混在してしまうことも有り得る。かかる混在状態が放置されれば、機内業務用DVDが上映室ではなく客室に持ち込まれ、客席に備えつけられた民生用のDVDプレーヤに装填されることも有り得る。機内業務用DVDが異なる暗号化方式で暗号化されているため、民生用のDVDプレーヤがこの機内業務用DVDを再生し得なかったとすると、その客席の乗客は、「この再生装置は壊れてるのではないか」と大騒ぎすることがある。備えつけ機器が故障であるかのように思われるのは航空業者にとって不愉快であるし、そのようなことで乗務員が翻弄するのは、航空業者にとってロスでしかない。
【０００５】
本発明の目的は、光ディスクが本来装填されるべき再生装置とは異なる再生装置に装填されたとしても、ユーザを混乱させないよう、著作権保護がなされたデジタルコンテンツを光ディスクに記録することができる記録装置を提供することである。
【０００６】
上記目的を達成するため、本発明にかかる記録装置は、  コンテンツ素材に対して符号化を行い、複数のビデオオブジェクトを得る符号化手段と、
通常公開のためのコンテンツ保護方式、又は、早期公開のためのコンテンツ保護方式の何れかに従い、ビデオオブジェクトを暗号化する暗号化手段と、
複数の暗号化ビデオオブジェクトと、当該暗号化ビデオオブジェクトの再生順序を示す情報とを含むビデオタイトルセットを作成する作成手段と、
コンテンツを通常公開する場合、光ディスクに第１ディレクトリのみを生成し、コンテンツを早期公開する場合、光ディスクに第１ディレクトリ及び第２ディレクトリを生成して、生成されたディレクトリに、ビデオタイトルセットを記録する記録手段とを備え、
第１ディレクトリは、民生用再生装置によってビデオタイトルセットの格納場所とは認識されるディレクトリ名を有するディレクトリであり、ビデオタイトルセットと、そのインデックスとから構成され、
第２ディレクトリは、民生用再生装置によってビデオタイトルセットの格納場所とは認識され得ないが、業務用再生装置によって早期公開のためのビデオタイトルセットの格納場所と認識され得るディレクトリ名を有するディレクトリであり、ビデオタイトルセットと、そのインデックスとから構成され、
前記記録手段は、
早期公開のためにコンテンツを記録する場合、早期公開のための保護方式により保護されたビデオオブジェクトを含むビデオタイトルセットと、当該ビデオタイトルセットに対応付けられたメニューデータを含むインデックスとを第２ディレクトリに記録すると共に、
民生用再生装置が上記ビデオタイトルセットを再生できない旨のメッセージを含むインデックスを第１ディレクトリに記録し、
通常公開のためにコンテンツを記録する場合、通常公開のための保護方式により保護されたビデオオブジェクトを含むビデオタイトルセットと、当該ビデオタイトルセットに対応付けられたメニューデータを含むインデックスとを第１ディレクトリに記録する
ことを特徴としている。
【０００７】
【発明の実施の形態】
（第１実施形態）
以下、本実施形態に係る記録装置の実施形態について、図面を参照しながら説明する。先ず最初に、記録装置によりDVDに記録される映画コンテンツについて説明する。図１は、映画会社による映画コンテンツの配給スケジュールを示す図である。映画コンテンツは劇場公開され、6〜9箇月を経過した後、民生用DVDに記録されて民間市場にリリースされる。これにより民生用DVDは、民間市場において販売やレンタルの対象となる。民生用DVDが劇場公開からかなり遅れて市場にリリースされるのに対して、業務用DVDは、劇場公開と同時期、又は劇場公開期間中に、航空業者等に対してリリースされる。このことから業務用DVDのリリース時期は、民生用DVDのリリース時期に比べてすこぶる早いといえる。業務用DVDのリリース時期が早いのは、劇場上映されている映画コンテンツと同じものを、航空機内等の公共の場で上映させたいという業界の要望に応えるためである。本実施形態では、業務用に映画コンテンツを早期にリリースするためのDVDをEWCPS-DVD(Early Windows Contents Protection System-DVD)と呼び、民生用DVDをContents Scramble System(CSS)-DVDと呼ぶものとする。EWCPS-DVDが、航空業界向けにリリースされるものとして以降の説明を行う。
【０００８】
CSS-DVD、EWCPS-DVD上において、映画コンテンツはタイトルという形態で扱われる。複数のタイトルのうち、同一のシーンを共有し合うもの同士の集まりはビデオタイトルセットと呼ばれる。例えばDVDに記録される映画コンテンツに、「劇場公開版」、「ディレクターズカット版」、「短縮版」、「予告編」などの様々なバージョンがある場合、これらはそれぞれ、1本のタイトルとして扱われる。またこれらは、同一のシーンを共有し会っているため、ビデオタイトルセットとして扱われることになる。このビデオタイトルセットがDVDにおいてどのように格納されるかについて図２を参照しながら説明する。ビデオタイトルセットは、VOBセット１と、ビデオタイトルセット管理情報２(PGCIテーブル３を含む)とからなる。またビデオタイトルセットは、タイトルセットインデックス４(メニューVOB５、FirstPlayPGCI６、メニューナビPGCI７を含む)が対応づけられている。
【０００９】
VOBセット１は、複数のVideo OBject(VOB#1,#2,#3,#4,#5・・・・)からなる。VOBとは、ビデオストリームと、オーディオストリームと、副映像ストリームとを多重化して得られるストリームデータであり、複数タイトル間で共有されるワンシーンを構成する。破線y1,y2,y3にて引き出して示すように、図中のビデオオブジェクトはそれぞれ、映画コンテンツのワンシーン(図中の「出会いのシーン」「回想のシーン」「クライマックスシーン」)に相当するものであることがわかる。オーディオストリーム、副映像ストリームは、英語、日本語、フランス語等複数の言語圏に対応するものが複数存在しており、これら複数のオーディオストリーム、副映像ストリームのうち、DVDプレーヤーの言語設定に該当するもののみが選択的に再生される。
【００１０】
ビデオタイトルセット管理情報(Video TitleSet Information(VTSI))２は、ビデオタイトルセットについての管理情報であり、PGCIテーブル３を含む。
PGCIテーブル３は、複数のPGC情報(Program Chain Information(PGCI#1,#2,#3・・・・#N))が記述されたテーブルである。PGC情報は、個々のタイトルにおけるビデオオブジェクトの再生順序を規定する情報である。破線y4にて引き出して示すようにPGC情報は、VOBについてのポインタ情報と、再生制御情報とを含む。ポインタ情報は、VOBのうち読み出すべきものと、それらVOBの読出順序とを示す情報であり、このポインタ情報により「劇場公開版」、「ディレクターズカット版」、「短縮版」のそれぞれにおいてどのVOBをどのような順序で再生するべきかがDVDプレーヤに指示される。再生制御情報は、この再生順序でVOBの再生が行われている間にDVDプレーヤが行うべき付随制御を規定する。再生制御情報には、PGC情報にて規定される再生順序特有のユーザ操作を規定するUOP情報(User Operation Permission Information)、PGC情報にて規定される再生順序固有のコマンドであって、VOBの再生前に実行されるコマンド(Pre Commandと呼ばれる。)、PGC情報にて規定される再生順序固有のコマンドであって、VOBの再生後に実行されるコマンド(Post Commandと呼ばれる。)、PGC情報から他のPGC情報へのリンクを規定するリンク先情報、VOBにおける有効区間をタイトル毎に指定するCELL情報等がある。
【００１１】
タイトルセットインデックス４(以下単にインデックスという)は、ビデオタイトルセットについてのインデックスであり、メニューVOB５と、FirstPlayPGCI６と、メニューナビPGCI７とを含む。以降メニューVOB５〜メニューナビPGCI７について説明する。
メニューVOB５とは、メニューを描画した画像データである。枠w1内に、このメニューVOB５の内容を示す。枠w1に示すように、メニューVOB５は、DVDに収録されているタイトルの名称(「劇場公開版」、「ディレクターズカット版」、「短縮版」、「予告編」)と、各タイトルの選択操作を受け付けるためのボタンとを含む。
【００１２】
FirstPlayPGCI６(以下FP_PGCIと略す)は、DVDがDVDプレーヤに装填された際、最初に実行されるPGC情報であり、矢印y5に示すようにメニューナビPGCI７をジャンプ先に指定したジャンプ(Jmp)コマンドを含む。
メニューナビPGCI７は、矢印y6に示すようにメニューVOB５についてのポインタ情報と、メニューVOB５により描画されるメニューにおいて各ボタンが確定された際に実行すべき複数のJmpコマンドとを含む。これらJmpコマンドは、VTSI２内のPGC情報をジャンプ先に指定しているので、メニューのボタンに対する確定操作により、各タイトルへのジャンプが実現されることになる。
【００１３】
以上のFP_PGCI６、メニューナビPGCI７に含まれるJmpコマンドにより、タイトルがどのように再生されるかを図３に示す。矢印▲１▼▲２▼▲３▼に示すように▲１▼FP_PGCI６内のJmpコマンド→▲２▼メニューナビPGCI７内のJmpコマンド→▲３▼PGC情報に含まれるポインタ情報という過程を経てVOBが特定され、VOBが再生されてゆく。
かかる構造を有するビデオタイトルセットにおいてVOBは、デジタル化されたビデオストリーム、オーディオストリーム、副映像ストリームそのものである。VOBは、著作権を保護すべく暗号化されてDVDに記録される。このVOBの暗号化は、記録装置のみにて行われるのではなく、著作権者、鍵管理センター、記録装置の三者が連携し合って実現される。またDVDプレーヤ側も、このように暗号化されたVOBを復号するため、復号処理を行う。先に述べたようにビデオタイトルセットのデータ構造はEWCPS-DVD、CSS-DVDの間で差違はないが、VOBの著作権保護の方式は、EWCPS-DVD、CSS-DVD間で大きな差違がある。以降図４を参照しながら、CSS-DVDを一例としてVOBの暗号化がなされるプロセスについて説明する。図４に示すように、CSS-DVDの暗号化・復号化のプロセスは、映画コンテンツの制作・配給を行う著作権者１０、著作権保護を実現する第三者により運営されるCSS鍵管理センター１１、DVDの製造業者により操作される記録装置１２、一般の需要者により操作される民生用DVDプレーヤ１３により実現される。
【００１４】
著作権者１０は、映画の素材(アナログ状態の映像素材、音声素材、副映像素材)と、映画コンテンツ専用のコンテンツ鍵と、各DVDに固有なディスク鍵とを有しており、CSS-DVDの作成にあたって、これら映画素材及びコンテンツ鍵を記録装置１２に引き渡し、ディスク鍵及びコンテンツ鍵をCSS鍵管理センター１１に引き渡す。
【００１５】
続いてCSS鍵管理センター１１の内部構成について説明する。CSS鍵管理センター１１は、予めマスタ鍵を保持しており、コンテンツ鍵を著作権者１０から受け取って、コンテンツ鍵を著作権者１０が作成したディスク鍵を用いて暗号化するコンテンツ鍵暗号化部２１と、ディスク鍵をマスタ鍵を用いて暗号化するディスク鍵暗号化部２２とを備え、コンテンツ鍵暗号化部２１、ディスク鍵暗号化部２２の暗号化により得られたディスク鍵と、コンテンツ鍵とを記録装置１２に引き渡す。
【００１６】
記録装置１２は、映画素材をエンコードすることにより、元のVOBを得るMPEGエンコーダ５１と、VOBをコンテンツ鍵を用いて暗号化するスクランブラ５２とを備え、スクランブルされたVOB(スクランブルドVOB)をDVDに記録する。
また、記録装置１２はコンテンツ鍵暗号化部２１により暗号化されたコンテンツ鍵をCSS鍵管理センター１１から受け取り、これをセクタヘッダ領域に記録する。更に、記録装置１２はディスク鍵暗号化部２２により暗号化されたディスク鍵をCSS鍵管理センター１１から受け取り、暗号化ディスク鍵をリードイン領域に記録する。セクタヘッダ領域及びリードイン領域は、DVDプレーヤのみがアクセス可能であり、DVDプレーヤ以外の機器はアクセスできない領域であり、暗号化コンテンツ鍵、暗号化ディスク鍵をこれらの領域に記録することにより、スクランブルドVOBは、DVDプレーヤのみにより復号化されることになる。
【００１７】
続いて民生用DVDプレーヤ１３の構成について説明する。民生用DVDプレーヤ１３は、DVDに記録されている暗号化ディスク鍵を読み出して、これを民生用DVDプレーヤ１３固有のマスタ鍵を用いて復号化して元のディスク鍵を得るディスク鍵復号化部２５と、DVDから暗号化コンテンツ鍵を読み出して、ディスク鍵復号化部２５が得たディスク鍵を用いてコンテンツ鍵を復号化するコンテンツ鍵復号化部２６と、DVDからスクランブルドVOBを読み出し、これをコンテンツ鍵を用いて復号化して、元のVOBを得るデスクランブラ２７と、デスクランブラ２７により得られたVOBをデコードし、映像信号、音声信号を得るMPEGデコーダ２８と、DVDからVTSI２を読み出し、これに含まれるPGC情報に基づき順次VOBを読み出すよう指示を行うシステム制御部２９とを備える、
以上がCSS-DVDの暗号化・復号化のプロセスを示す図である。続いてEWCPS-DVDの暗号化・復号化のプロセスについて、その概略を説明する。
【００１８】
EWCPS-DVDとCSS-DVDとでは、コンテンツ鍵にて暗号化された状態で記録されている点(1)、暗号化に用いられたコンテンツ鍵がDVDに記録されている点(2)、またこのコンテンツ鍵が暗号化されている点(3)が共通している。相違点は以下の通りである。CSS-DVDでは、コンテンツ鍵の暗号化を復号するディスク鍵がDVDに記録され、民生用DVDプレーヤ１３に供給される。これに対し、EWCPS-DVDにおいて、コンテンツ鍵の暗号化を復号化する復号鍵はデバイス鍵と呼ばれ、デバイス鍵は業務用DVDプレーヤ固有のICカードに書き込まれて業務用DVDプレーヤに供給される。
【００１９】
CSS-DVDにおけるディスク鍵はDVDに依存するが民生用DVDプレーヤ１３に非依存であり、一度生成されたら二度と生成されない。これに対してEWCPS-DVDにおけるデバイス鍵は業務用DVDプレーヤに依存し、何度でも生成される。EWCPS-DVDではICカードがなければVOBは再生され得ず、またデバイス鍵が暴露された際、デバイス鍵を改めて作成することができるので、VOBの再生は厳重に管理されているといえる。尚、デバイス鍵による暗号化は、公開鍵暗号化方式に基づいており、暗号化に用いられる鍵(公開デバイス鍵)と、復号化に用いられる鍵(秘密デバイス鍵)とは異なることに留意されたい。
【００２０】
EWCPS-DVDにおける暗号化、復号化のプロセスを具体的に説明する。図５は、EWCPS-DVDにおける暗号化、復号化のプロセスを示す図である。本プロセスは、映画コンテンツの制作・配給を行う著作権者１０、DVDの製造業者により操作される記録装置１２、著作権保護を実現する第三者により運営されるEWCPS鍵管理センター１４、航空機業者により操作される業務用DVDプレーヤ１５により実現される。著作権者１０がコンテンツ鍵、映画コンテンツの素材を有しており、EWCPS鍵管理センター１４に供給する点は図４のシステムと同一といえる。また、記録装置１２は、図４に示したものと同一である。しかしEWCPS鍵管理センター１４、業務用DVDプレーヤ１５の構成は、図３におけるCSS鍵管理センター１１、民生用DVDプレーヤ１３と大きく異なる。
【００２１】
先ず初めにEWCPS鍵管理センター１４の内部構成について説明する。図５に示すように、EWCPS鍵管理センター１４は初期公開デバイス鍵データベース３１、デバイス鍵ペアジェネレータ３２、公開デバイス鍵データベース３３、コンテンツ鍵暗号化部３４、デバイス鍵暗号化部３５から構成されている。
初期公開デバイス鍵データベース３１は、x個の初期公開デバイス鍵を格納するデータベースである(xは、業務用DVDプレーヤの個数)。初期公開デバイス鍵とは、デバイス鍵同様、公開鍵暗号化方式で用いられる公開鍵であり、x台の業務用DVDプレーヤのそれぞれに格納されている初期秘密デバイス鍵と対で用いられる。この初期公開デバイス鍵データベース３１に格納されている初期公開デバイス鍵は、業務用DVDプレーヤの製造時に作成され、一度作成されれば改めて作り出されることはない。
【００２２】
デバイス鍵ペアジェネレータ３２は、x台の業務用DVDプレーヤに対して公開デバイス鍵と、秘密デバイス鍵との組みをx個生成するものである。初期公開デバイス鍵データベース３１に格納された初期秘密デバイス鍵、初期公開デバイス鍵が改めて作り直されることはないのに対し、公開デバイス鍵、秘密デバイス鍵は改めて作成し直すことができる。秘密デバイス鍵が悪意をもった者により暴露された場合に、公開デバイス鍵、秘密デバイス鍵を作り直すためである。
【００２３】
公開デバイス鍵データベース３３は、デバイス鍵ペアジェネレータ３２により作成されたx台の業務用DVDプレーヤに対する公開デバイス鍵を格納する。公開デバイス鍵データベース３３の格納内容は、公開デバイス鍵がデバイス鍵ペアジェネレータ３２により新たに生成された場合、その新たに生成された公開デバイス鍵により上書きされる。よってデバイス鍵ペアジェネレータ３２により生成された公開デバイス鍵のうち最新のものがこの公開デバイス鍵データベース３３に格納されることになる。
【００２４】
コンテンツ鍵暗号化部３４は、コンテンツ鍵を、公開デバイス鍵データベース３３に格納されるx個の公開デバイス鍵を用いて暗号化して、x個の暗号化コンテンツ鍵を得る。
デバイス鍵暗号化部３５は、デバイス鍵ペアジェネレータ３２により生成された秘密デバイス鍵を、x台の業務用DVDプレーヤ１５に固有な初期公開デバイス鍵を用いて暗号化して、その業務用DVDプレーヤ１５固有のICカード１６に書き込む。
【００２５】
続いて業務用DVDプレーヤ１５の構成について説明する。業務用DVDプレーヤ１５は、デスクランブラ２７、MPEGデコーダ２８、システム制御部２９を有しており、これは民生用DVDプレーヤ１３との共通点といえる。ディスク鍵復号化部２５〜コンテンツ鍵復号化部２６がデバイス鍵復号化部４１、コンテンツ鍵復号化部４２に置き換えられている点は民生用DVDプレーヤ１３との差違点である。
【００２６】
デバイス鍵復号化部４１は、ICカード１６から暗号化された暗号化秘密デバイス鍵を読み出し、この暗号化秘密デバイス鍵を、自機に固有な初期秘密デバイス鍵を用いて復号化して、自機に固有な秘密デバイス鍵を得る。
コンテンツ鍵復号化部４２は、暗号化されたコンテンツ鍵をDVDから読み出し、自機に固有な秘密デバイス鍵を用いてこの暗号化コンテンツ鍵を復号し、コンテンツ鍵を得る。
【００２７】
CSS-DVD、EWCPS-DVDにおいては、共に図２に示したデータ構造にて映画コンテンツを記録しているものの、VOBの暗号化方式のみがCSS-DVD、EWCPS-DVDで異なっている。よってEWCPS-DVDが民生用DVDプレーヤ１３に装填された場合、民生用DVDプレーヤ１３は、EWCPS-DVDに記録されているFP_PGCI６、メニューナビPGCI７、PGCIに従い再生処理を行うものの、VOBを復号化することができないので、映画コンテンツが正当に再生されることはない。つまり民生用DVDプレーヤ１３は、一応は動作を行うものの、何も再生しないという奇妙な状態に陥ることになる。
【００２８】
続いて記録装置１２の内部構成について図６を参照しながら説明する。図６に示すように記録装置１２は、ユーザインターフェイス部５０、MPEGエンコーダ５１、スクランブラ５２、再生順序設定部５３、ボリュームデータ作成部５４、記録部５５から構成される。
ユーザインターフェイス部５０は、マウス、キーボード、スライドパッド等を介してユーザからの操作を受け付ける。
【００２９】
MPEGエンコーダ５１は、映画素材たる映像素材、副映像素材、音声素材を圧縮符号化して、ビデオストリーム、オーディオストリーム、副映像ストリームを得、これらのストリームをインターリーブ多重化することによりVOBを得る。
スクランブラ５２は、MPEGエンコーダ５１により得られたVOBを、著作権者１０から供給されたコンテンツ鍵を用いてスクランブルして、スクランブルドVOBを得る。記録先となるDVDがCSS-DVDである場合、EWCPS-DVDである場合のそれぞれにおいて、スクランブラ５２は異なる暗号化処理を行う。先ず初めにCSS-DVDである場合、VOBをDES方式にて暗号化してゆく。DES方式による暗号化とは、VOBを8バイト毎のブロックに分割し、56ビットの長さをもつコンテンツ鍵を用いて各ブロックを暗号化する作業を16回繰り返すというものである。
【００３０】
EWCPS-DVDである場合、VOBをTripleDES方式にて暗号化してゆく。Triple-DES方式による暗号化とは、上述したDES方式の暗号化を3回繰り返して、安全性を高めるというものである。
再生順序設定部５３は、映画コンテンツのワンシーンに対応するVOBの再生順序をユーザインターフェイス部５０が受け付けたユーザの操作に従って決定し、この再生順序を示すPGC情報を含むVTSI２を生成する。
【００３１】
ボリュームデータ作成部５４は、ボリュームデータを作成するものである。ボリュームデータとは、DVDの原盤作成にあたって、元データとして用いられるデータであり、複数のディレクトリィからなる階層構造を具備しており、各ディレクトリィには、各種データが格納される。本実施形態においてボリュームデータ作成部５４は、1又は2つのディレクトリィを含むボリュームデータを作成し、MPEGエンコーダ５１により生成され、スクランブラ５２により暗号化されたVOBと、再生順序設定部５３により生成されたVTSI２とを1つのビデオタイトルセットにして、このディレクトリィに書き込む。
【００３２】
ディレクトリィの生成と、VIDEO_TSディレクトリへのビデオタイトルセット及びインデックス４の書き込みにおいて、ボリュームデータ作成部５４は、CSS-DVDと、EWCPS-DVDとで異なる処理を行う。DVDがCSS-DVDである場合、ボリュームデータ作成部５４はVIDEO_TSディレクトリを含むボリュームデータを生成し、VOBセット１とVTSI２とからなるビデオタイトルセット及びインデックス４をVIDEO_TSディレクトリに書き込む。ここでVIDEO_TSディレクトリとは民生用DVDプレーヤ１３がアクセスを行うよう取り決められているディレクトリィであり、CSS-DVDが民生用DVDプレーヤ１３に装填された際、民生用DVDプレーヤ１３はここに存在するFP_PGCI６を最初に実行し、以降このビデオタイトルセットに含まれるタイトルを順次再生してゆく。図７は、CSS-DVDのVIDEO_TSディレクトリにおける格納内容を示す図である。本図においてビデオタイトルセット（VOBセット１、VTSI２からなる）及びインデックス４は、VIDEO_TSディレクトリに書き込まれることがわかる。
【００３３】
続いてタイトルがEWCPS-DVDである場合、ボリュームデータ作成部５４がビデオタイトルセット、インデックス４をどのように記録するかについて説明する。この場合、ボリュームデータ作成部５４は、VIDEO_TSディレクトリと、EWCPS_TSディレクトリとを含むボリュームデータを生成して、EWCPS_TSディレクトリにビデオタイトルセット（VOBセット１及びVTSI２からなる）及びインデックス４を記録する。EWCPS_TSディレクトリとは、業務用DVDプレーヤ１５がアクセスを行うよう取り決められているディレクトリィであり、EWCPS-DVDが業務用DVDプレーヤ１５に装填された際、業務用DVDプレーヤ１５はこのEWCPS_TSディレクトリに存在するFP_PGCI６を最初に実行し、以降ビデオタイトルセットに含まれるタイトルを順次再生してゆく。一方、VIDEO_TSディレクトリについては、ビデオタイトルセットを書き込まない。図８は、映画コンテンツをEWCPS-DVDに記録してリリースする場合のVIDEO_TSディレクトリ、EWCPS_TSディレクトリの格納内容を示す図である。本図に示すようにEWCPS_TSディレクトリには、タイトルセット（VOBセット１及びVTSI２からなる）と、インデックス４とが書き込まれ、VIDEO_TSディレクトリにはインデックス６０が書き込まれる。映画コンテンツたるビデオタイトルセットはEWCPS_TSディレクトリに書き込まれるので、たとえ悪意を持った者が航空機内からEWCPS-DVDを奪い、これを民生用DVDプレーヤ１３に装填させたとしても、映画コンテンツを再生させることができない。映画コンテンツはEWCPS_TSディレクトリに書き込まれることに加え、VOBセット１がCSS-DVDと異なる暗号化方式で暗号化されているので、パソコンのようにEWCPS_TSディレクトリをアクセスできるような機器を用いたとしても、映画コンテンツが再生されることはない。
【００３４】
続いてEWCPS-DVDのVIDEO_TSディレクトリにおけるインデックス６０の構成について説明する。EWCPS-DVDのインデックス６０は、FP_PGCI６１、メッセージナビPGCI６２、メッセージVOB６３を含む。FP_PGCI６１は、メッセージナビPGCI６２をジャンプ先に指定したJmpコマンドを含む。メッセージナビPGCI６２は、メッセージVOB６３についてのポインタ情報を含み、このメッセージVOB６３を表示させるPGC情報である。メッセージVOB６３は、破線h3に示すように、EWCPS-DVDに記録されているビデオタイトルセットの民生用DVDプレーヤ１３による再生は不可能である旨を示すメッセージデータである。
【００３５】
メッセージナビPGCI６２のポインタ情報がこのメッセージVOB６３を指示しており、FP_PGCI６１はメッセージナビPGCI６２をジャンプ先に指定しているので、本DVDが民生用DVDプレーヤ１３に装填された際、自動的に上述したメッセージVOB６３が表示されることになる。EWCPS-DVDが誤って民生用DVDプレーヤ１３に装填された場合、このメッセージVOB６３が自動的に表示されるので、ユーザは何故タイトルが再生されないのかという理由を知り得ることができる。そのためEWCPS-DVDが誤って民生用DVDプレーヤ１３に装填された場合でも、ユーザは本DVD及び民生用DVDプレーヤ１３が故障しているのではないかと疑うことはない。尚、本図におけるメッセージVOB６３は、上述した文字列は単一言語で記述されているが、メッセージVOB６３に、互いに異なる言語で記述された複数の文字列を含ませて、多言語対応にしてもよい。各文字列は何れも、民生用DVDプレーヤ１３による映画コンテンツの再生が不可能である旨を示すものであり、これらの多言語対応により、多くのユーザに、メッセージVOB６３の意図を伝達することができる。民生用DVDプレーヤ１３は、これら複数言語の文字列を、メニュー上に一度に表示してもよいし、また民生用DVDプレーヤ１３は、自身に設定されている言語設定パラメータに合致するもののみを表示してもよい。
【００３６】
図７、図８に示したVIDEO_TSディレクトリ、EWCPS_TSディレクトリにおいてビデオタイトルセット、インデックスは、DVD-Video規格に従ったファイル構成にてVIDEO_TSディレクトリに記録される。以降、DVD-Video規格に従ったファイル構成にてVIDEO_TSディレクトリがどのように記録されるかについて説明する。図９は、VIDEO_TSディレクトリにおけるファイル構成を示す図である。
【００３７】
DVD-Video規格においてVOBは、それぞれVTS_xx_x.VOBという名称のファイルに収録されて取り扱われる。ここでxxは、ビデオタイトルセットの番号であり、x(図中では、1,2,3,4,5・・・・・)は、VOBの番号である。
DVD-Video規格においてVTSI２は、VTS_xx_x.ifoという名称のファイルに収録されて取り扱われる。ここでxxは、ビデオタイトルセットの番号であり、xは、VTSIの番号である。ビデオタイトルセットに含まれるPGCIテーブル３は、VTS_PGCITと呼ばれる。これに含まれるPGC情報は、TT_PGCIと呼ばれ、タイトルセット内においてそれぞれのPGC情報ががどのタイトルに対応するかを示すVTS内タイトル番号(VTS_TT#1,#2,#3,#4,#5・・・・)と対応づけられている。
【００３８】
メニューVOB５は、DVD-Video規格において『VIDEO_TS.vob』という名称のファイルに収録される。また、メニューVOB５により表示されるメニューは、Video ManaGer Menu(VMGM)とも呼ばれる。
FP_PGCI６及びメニューナビPGCI７は、VIDEO_TS.ifoという名称のファイルに収録されてDVDに記録される。このVIDEO_TS.ifoは、FP_PGCI６及びメニューナビPGCI７以外にTitle_Search_Pointer(TT_SRPT)を含んでいる。Jmpコマンドにおいてジャンプ先は、TiTle_Number(TTN)と呼ばれる番号を用いて指定される。一方TT_SRPTは、VTS番号(VTS#x)及びVTS内タイトル番号(VTS_TT#1,2,3,4・・・)を、Jmpコマンドにおいてジャンプ先として指定されているTTNに対応づけているテーブルである。このTT_SRPTを参照することにより、Jmpコマンドにおいてジャンプ先に指定されたタイトルが、どのビデオタイトルセットに含まれる、どのタイトルであるかが把握されることになる。
【００３９】
また図８に示したVIDEO_TSディレクトリにおけるディスクインデックス６０も、DVD-Video規格に従ったファイル構成にて記録される。以降、DVDに従ったファイル構成にてインデックス６０がVIDEO_TSディレクトリにどのように記録されるかについて説明する。図１０は、EWCPS-DVDのVIDEO_TSディレクトリにおけるファイル構成を示す図である。メッセージVOB６３は、DVD-Video規格において『VIDEO_TS.vob』という名称のファイルに収録される。
【００４０】
FP_PGCI６１、メッセージナビPGCI６２は、VIDEO_TS.ifoという名称のファイルに収録されて記録される。ここでFP_PGCI６１は、VMGM_PGCIをジャンプ先に指定したJmpコマンドを含み、またメッセージナビPGCI６２は、VIDEO_TS.vobについてのポインタ情報を有するので、Jmpコマンドと、ポインタ情報とを辿ることにより、メッセージVOB６３が表示されることになる。以上でボリュームデータ作成部５４についての説明を終え、続いて記録部５５について説明する。
【００４１】
記録部５５は、ボリュームデータ作成部５４によりボリュームデータが生成されれば、CSS鍵管理センター１１、EWCPS鍵管理センター１４から取得したコンテンツ鍵、CSS鍵管理センターから取得したディスク鍵と共にボリュームデータをCSS-DVD又はEWCPS-DVDに記録して、DVDの原盤を作成する。DVDの製造業者は、この原盤を用いて、DVDの量産を行う。
【００４２】
図１１は、以上のように構成された記録装置１２の処理手順を示すフローチャートである。以降、本フローチャートを参照しながら、記録装置１２の処理手順について説明してゆく。
ステップＳ１においてMPEGエンコーダ５１は、映像素材、音声素材、副映像素材をエンコードしてゆくことにより複数のVOBを得る。
【００４３】
ステップＳ２において再生順序設定部５３はユーザ操作に従って各VOBの再生順序を作成し、その再生順序を示す複数のPGCIを含むVTSI２を作成し、ステップＳ３においてボリュームデータ作成部５４はタイトルの名称を一覧表示するメニューVOB５を作成する。ステップＳ４においてボリュームデータ作成部５４はメニューVOB５についてのポインタ情報と、各タイトルをジャンプ先に指定したJmpコマンドを含むメニューナビPGCI７を作成し、ステップＳ５においてボリュームデータ作成部５４は、そのメニューナビPGCI７をジャンプ先に指定したJmpコマンドを含むFP_PGCI６を作成し、ステップＳ６においてボリュームデータ作成部５４は、メニューVOB５、FP_PGCI６、メニューナビPGCI７を含むインデックス４を作成する。
【００４４】
ステップＳ７では、DVDを業務用とするか、民生用とするかの指定をユーザインターフェイス部５０が受け付ける。民生用にすると指定されたなら、ステップＳ８においてボリュームデータ作成部５４はVIDEO_TSディレクトリを作成し、ステップＳ９においてスクランブラ５２はDES方式に基づき、コンテンツ鍵を用いてVOBをスクランブルしてVIDEO_TSディレクトリに書き込む。ステップＳ１０において、VTSI２及びインデックス４をVIDEO_TSディレクトリに書き込む。以上の処理により、VIDEO_TSディレクトリの中身は図７のようになる。
【００４５】
一方、業務用にすると指定されれば、ステップＳ１１においてボリュームデータ作成部５４はVIDEO_TSディレクトリ及びEWCPS_TSディレクトリを作成し、ステップＳ１２においてスクランブラ５２はTriple-DESに基づき、コンテンツ鍵を用いてVOBをスクランブルしてEWCPS_TSディレクトリに書き込む。ステップＳ１３においてボリュームデータ作成部５４は、VTSI２及びインデックス４をEWCPS_TSディレクトリに書き込む。ステップＳ１４においてボリュームデータ作成部５４は、民生用DVDプレーヤ１３によるこのタイトルの再生は不可能である旨を示すメッセージVOB６３を作成し、ステップＳ１５においてボリュームデータ作成部５４は、メッセージVOB６３についてのポインタ情報を含むメッセージナビPGCI６２を作成し、そのメッセージナビPGCI６２をジャンプ先に指定したJmpコマンドを含むFP_PGCI６１を作成する。
【００４６】
ステップＳ１６においてボリュームデータ作成部５４は、FP_PGCI６１、メッセージナビPGCI６２、メッセージVOB６３を含むインデックス６０を作成し、ステップＳ１７においてボリュームデータ作成部５４は、インデックス６０をVIDEO_TSディレクトリに書き込む。以上の処理により、EWCPS-DVDにおいてEWCPS_TSディレクトリ及びVIDEO_TSディレクトリの内容は図８に示すものとなる。
【００４７】
以上の記録装置１２により記録されたCSS-DVD、EWCPS-DVDがどのように利用されるかを、図１２〜図１５を参照しながら説明する。図１２〜図１５は、民生用DVDプレーヤ１３、業務用DVDプレーヤ１５が設置された航空機内を示す図である。本図において機内ラィブラリィ７１には記録装置１２により記録されたCSS-DVD、EWCPS-DVDが複数保管されているものとする。また機内上映室７２には業務用DVDプレーヤ１５がプロジェクタ７３と接続されて設置されており、客室７４内には民生用DVDプレーヤ１３が客席７５に備え付けられている。このラィブラリィ７１に保管されているEWCPS-DVD、CSS-DVDがそれぞれ矢印jy1,jy2に示すように上映室７２内の業務用DVDプレーヤ１５、客室内の民生用DVDプレーヤ１３に装填されたものとする。この場合、これらEWCPS-DVD、CSS-DVDに記録されたタイトルは図１３に示すように正常に再生されることになる。
【００４８】
一方、このラィブラリィ７１に保管されているEWCPS-DVDが錯誤により図１４に示すように客室７４内に持ち込まれ、客席備えつけの民生用DVDプレーヤ１３に装填されたとする。この場合民生用DVDプレーヤ１３は、EWCPS_TSディレクトリ内に存在するタイトルを再生することなく、VIDEO_TSディレクトリに存するFP_PGCI６１、メッセージナビPGCI６２を順次し実行し、民生用DVDプレーヤ１３による再生は不可能である旨を示すメッセージVOB６３を再生する。図１５は、メッセージVOB６３が再生された状態の民生用DVDプレーヤ１３を示す図である。本図に示すように、EWCPS-DVDが誤って民生用DVDプレーヤ１３に装填された場合でも、民生用DVDプレーヤ１３は、EWCPS-DVDに記録されたタイトルの再生は不可能である旨を示すので、これを見たユーザは、自分の誤りを理解することができる。尚、この動作例では、上映室内に備え付けられているDVDプレーヤを業務用DVDプレーヤ１５としたが、客室内に備え付けのDVDプレーヤであっても、ファーストクラス、ビジネスクラスに備え付けられているDVDプレーヤを、業務用DVDプレーヤ１５としてもよい。また本実施形態では、CSS-DVDのVIDEO_TSディレクトリに格納されるタイトルセットと、EWCPS-DVDのEWCPS_TSディレクトリに格納されるタイトルセットとを異なるものにしてもよい。
【００４９】
（第２実施形態）
第１実施形態は、EWCPS-DVDへのタイトルの記録時において、ビデオタイトルセットの格納のためにEWCPS_TSディレクトリ及びVIDEO_TSディレクトリを生成したが、第２実施形態では、EWCPS-DVDへのタイトルの記録時において、EWCPS_TSディレクトリを格納することなくVIDEO_TSディレクトリのみを生成し、ここにタイトルを記録しようとするものである。
【００５０】
図１６は、第２実施形態に係るVIDEO_TSディレクトリの構成を示す図である。本図においてメッセージVOB６３は、民生用DVDプレーヤ１３による再生は不可能である旨を示す。メッセージナビPGCI６２は、メッセージVOB６３についてのポインタ情報を含むPGC情報である。第２実施形態に係るFP_PGCI６１は、第１エントリー領域と、第２のエントリー領域を含む。第１エントリー領域は、本ディスクが民生用DVDプレーヤ１３に装填された際、当該装置により最初にアクセスされる領域であり、第２エントリー領域は本ディスクが業務用DVDプレーヤ１５に装填された際、当該装置により最初にアクセスされる領域である。DVDを民生用とする場合、この第１エントリー領域にビデオタイトルセット内のタイトルをジャンプ先とするJmpコマンドを書き込み、第２エントリー領域にジャンプコマンドを書き込まない。一方、DVDを航空機用とする場合、第１のエントリー領域にメッセージナビPGCI６２をジャンプ先とするJmpコマンドを、第２のエントリー領域に、ビデオタイトルセット内のタイトルをジャンプ先とするJmpコマンドをそれぞれ書き込む。
【００５１】
かかるデータ構造を有するEWCPS-DVDが民生用DVDプレーヤ１３に装填された際、民生用DVDプレーヤ１３は以下のようにしてインデックス６０をアクセスしてゆく。つまり民生用DVDプレーヤ１３はEWCPS-DVDが装填された際、VIDEO_TSディレクトリのFP_PGCI６１に含まれる2つのエントリー領域に書き込まれた2つのJmpコマンドのうち、第１エントリー領域に書き込まれた1つ目のものを実行する。この1つ目のJmpコマンドは、メッセージナビPGCI６２をジャンプ先に指定しており、またメッセージナビPGCI６２は、メッセージVOB６３についてのポインタ情報を有しているので、結果としてメッセージVOB６３が表示されることになる。
【００５２】
一方、第２実施形態に係る業務用DVDプレーヤ１５は、FP_PGCI６１に含まれる2つのエントリー領域に書き込まれた2つのJmpコマンドのうち、第１エントリー領域に書き込まれた1つ目を無視して、第２エントリー領域に書き込まれた2つ目のものを実行する。2つ目のJmpコマンドは、ビデオタイトルセット内のタイトルをジャンプ先に指定しているので、FP_PGCI６１に含まれる2つのJmpコマンドのうち、2つ目を実行するという処理により各タイトルが再生されることになる。
【００５３】
尚、第２実施形態にあっては、FP_PGCI６１又はメッセージナビPGCI６２に含まれるUOP情報にて、ユーザによる操作の受け付けを禁止しておくのが望ましい。何故なら、FP_PGCI６１、メッセージナビPGCI６２の実行中にユーザ操作がなされた場合、それらユーザ操作に従って、民生用DVDプレーヤ１３が何等かの再生処理を行うのは、望ましくないからである。
【００５４】
図１６に示したEWCPS-DVDのビデオタイトルセットは、DVD-Video規格に従ったファイル構成にてVIDEO_TSディレクトリに記録される。以降、DVD-Video規格に従ったファイル構成にてVIDEO_TSディレクトリがどのように記録されるかについて説明する。図１７は、第２実施形態に係るVIDEO_TSディレクトリにおけるファイル構成を示す図である。FP_PGCI６１は、Jmpコマンド『Jmp VMGM_PGC』と、Jmpコマンド『Jmp TTN#1』とを含み、またメッセージナビPGCI６２がVideo_TS.VOBについてのポインタ情報を有している。1つ目のJmpコマンド『Jmp VMGM_PGC』は、VMGM_PGCを指定していて、2つ目のJmpコマンド『Jmp TTN#1』は、TTN#1を指定しているので、民生用DVDプレーヤ１３が1つ目のJmpコマンド『Jmp VMGM_PGC』を実行することにより、VOBが表示され、業務用DVDプレーヤ１５が1つ目のJmpコマンド『Jmp VMGM_PGC』を無視し、2つ目のJmpコマンド『Jmp TTN#1』を実行することにより、タイトルが再生されることになる。
【００５５】
上記実施形態に基づいて説明してきたが、現状において最善の効果が期待できるシステム例として提示したに過ぎない。本発明はその要旨を逸脱しない範囲で変更実施することができる。代表的な変更実施の形態として、以下（Ａ）（Ｂ）（Ｃ）・・・・のものがある。
（Ａ）第１、第２実施形態において、業務用DVDプレーヤ１５はEWCPS-DVDのみを再生するとしたが、業務用DVDプレーヤ１５に対してユーザが所定の操作を行った場合、業務用DVDプレーヤ１５がCSS-DVDを再生してもよい。
（Ｂ）第１実施形態におけるメッセージVOBを以下のようにしてもよい。
【００５６】
『客席での本映画タイトルの再生は不可能です。  上映室で御覧下さい。』
（Ｃ）第２実施形態においては業務用DVDプレーヤ１５はDVDの再生に当たって最初に読み込むコマンドを無視するような構成を取ったが、特に最初である必要はなく、任意の順番で読み込まれたコマンドを無視する構成をとってもよい。
【００５７】
（Ｄ）航空業務用DVDに記録されたVOBは、EWCPSの方式に基づき暗号化されたが、CSS方式を用いて暗号化された場合においても同様の効果が得られる。また、暗号化を行わなくても良い。
（Ｅ）第２実施形態においてはFP_PGCI６１に含まれる1つ目のコマンドがメッセージVOBをジャンプ先に指定していたが、メッセージVOBは任意の個数のコマンドを経て間接的に再生されるようにしてもよい。
【００５８】
（Ｆ）第１において最初に参照されるディレクトリィの名前をEWCPS_TSディレクトリィとしたが、他の名前であってもよい。
（Ｇ）第１、第２実施形態においては民生用DVDプレーヤ１３におけるEWCPS-DVD方式の再生に際してメッセージVOBを再生させるとしたが、タイトルの予告編やダイジェスト映像等を併せて再生させてもよい。
【００５９】
（Ｈ）第１、第２実施形態においては記録媒体としてDVDを用いたが、必ずしても記録媒体としてDVDを利用する必要はなく、VOBに付属する管理情報でVOBの再生を制御できるような構成を取る限りにおいて、任意の記録媒体であってもよい。
（Ｉ）本実施形態でフローチャートを参照して説明した手順（図１１のフローチャート）等を機械語プログラムにより実現し、これを記録媒体に記録して流通・販売の対象にしても良い。このような記録媒体には、ICカードや光ディスク、フロッピーディスク等があるが、これらに記録された機械語プログラムは汎用コンピュータにインストールされることにより利用に供される。この汎用コンピュータは、インストールした機械語プログラムを逐次実行して、本実施形態に示した記録装置の機能を実現するのである。
【００６０】
（Ｊ）第１、第２実施形態において映画コンテンツを一例にして説明を行ったが、デジタル化されたコンテンツであればどのようなものであってもよい。また業務用コンテンツは航空機内に用いられるものとしたが、船舶、列車、自動車内で用いられるものであってもよい。
【００６１】
【発明の効果】
本発明によれば、この記録装置によりデジタルコンテンツが書き込まれた光ディスクをユーザが誤って民生用再生装置に装填したとしても、ユーザは、この再生装置が壊れているのではないかを疑うことはない。民生用再生装置が航空機の設備として用いられる場合、ユーザたる乗客がこの民生用再生装置を疑うことがないので、航空機の機内業務がスムーズに行われることになる。
【図面の簡単な説明】
【図１】  映画会社による映画コンテンツの配給スケジュールを示す図である。
【図２】  ビデオタイトルセットがDVDにおいてどのように格納されるかを示す図である。
【図３】  FirstPlayPGCI６、メニューナビPGCI７に含まれるJmpコマンドにより、タイトルがどのように再生されるかを示す図である。
【図４】  CSS-DVDにおいてVOBの暗号化、復号化がなされるプロセスを示す図である。
【図５】  EWCPS-DVDにおいてVOBの暗号化、復号化がなされるプロセスを示す図である。
【図６】  記録装置１２の内部構成を示す図である。
【図７】  CSS-DVDのVIDEO_TSディレクトリにおける格納内容を示す図である。
【図８】  映画コンテンツをEWCPS-DVDに記録してリリースする場合のVIDEO_TSディレクトリ、EWCPS_TSディレクトリの格納内容を示す図である。
【図９】  VIDEO_TSディレクトリにおけるファイル構成を示す図である。
【図１０】  EWCPS-DVDのVIDEO_TSディレクトリにおけるファイル構成を示す図である。
【図１１】  記録装置１２の処理手順を示すフローチャートである。
【図１２】  民生用DVDプレーヤ１３、業務用DVDプレーヤ１５が設置された航空機内を示す図である。
【図１３】  民生用DVDプレーヤ１３、業務用DVDプレーヤ１５が設置された航空機内を示す図である。
【図１４】  民生用DVDプレーヤ１３、業務用DVDプレーヤ１５が設置された航空機内を示す図である。
【図１５】  民生用DVDプレーヤ１３、業務用DVDプレーヤ１５が設置された航空機内を示す図である。
【図１６】  第２実施形態に係るVIDEO_TSディレクトリの構成を示す図である。
【図１７】  第２実施形態に係るVIDEO_TSディレクトリにおけるファイル構成を示す図である。
【符号の説明】
２    ビデオタイトルセット管理情報
３    PGC情報テーブル
４    タイトルセットインデックス
１１    CSS鍵管理センター
１２    記録装置
１３    民生用DVDプレーヤ
１４    IFE鍵管理センター
１５    業務用DVDプレーヤ
１６    ICカード
２１    コンテンツ鍵暗号化部
２２    ディスク鍵暗号化部
２５    ディスク鍵復号化部
２６    コンテンツ鍵復号化部
２７    デスクランブラ
２８    MPEGデコーダ
２９    システム制御部
３１    初期公開デバイス鍵データベース
３２    デバイス鍵ペアジェネレータ
３３    公開デバイス鍵データベース
３４    コンテンツ鍵暗号化部
３５    デバイス鍵暗号化部
４１    デバイス鍵復号化部
４２    コンテンツ鍵復号化部
５０    ユーザインターフェイス部
５１    MPEGエンコーダ
５２    スクランブラ
５３    再生順序設定部
５４    ボリュームデータ作成部
５５    記録部
６０    タイトルセットインデックス
【図１】
0004740479.tif 000002
【図２】
0004740479.tif 000003
【図３】
0004740479.tif 000004
【図４】
0004740479.tif 000005
【図５】
0004740479.tif 000006
【図６】
0004740479.tif 000007
【図７】
0004740479.tif 000008
【図８】
0004740479.tif 000009
【図９】
0004740479.tif 000010
【図１０】
0004740479.tif 000011
【図１１】
0004740479.tif 000012
【図１２】
0004740479.tif 000013
【図１３】
0004740479.tif 000014
【図１４】
0004740479.tif 000015
【図１５】
0004740479.tif 000016
【図１６】
0004740479.tif 000017
【図１７】
0004740479.tif 000018